(57)【要約】【課題】リニューアル時に既設取付腕を用いることで作業性を良好にすることができる、エレベータドアのリニューアル方法の提供。【解決手段】リニューアル前後でドア開閉装置の取付高さが異なる場合におけるエレベータドアのリニューアル方法は、かご枠柱２に固定されて既設ドア開閉装置６を支持していた既設取付腕５を残したまま、既設取付腕５から既設ドア開閉装置６を取り外す工程と、高さ調整用ブラケット２７の下部が既設取付腕５に固定された、当該高さ調整用ブラケット２７の上部に、新規ドア開閉装置１０が支持されている工程とを備える。【選択図】図４
2016088627.tif 000002
【特許請求の範囲】
【請求項１】
リニューアル前後でドア開閉装置の取付高さが異なる場合におけるエレベータドアのリニューアル方法であって、
かご枠柱に固定されて既設ドア開閉装置を支持していた既設取付腕を残したまま、前記既設取付腕から前記既設ドア開閉装置を取り外す工程と、
高さ調整用ブラケットの下部が前記既設取付腕に固定された、該高さ調整用ブラケットの上部に、新規ドア開閉装置が支持されている工程と、
を備えたエレベータドアのリニューアル方法。
【請求項２】
前記新規ドア開閉装置の取付位置は、前記既設ドア開閉装置の取付位置に対して高さ方向の位置のみが変化している、
請求項１のエレベータドアのリニューアル方法。
【発明の詳細な説明】
【技術分野】
【０００１】
本発明は、エレベータドアのリニューアル方法に関するものである。
【背景技術】
【０００２】
エレベータは、上下に延びる昇降路と、その中を移動可能に設けられたかごとを備えている。かごには、ドア、および、ドア開閉装置が設けられている。ドアは、かごの出入口を開閉するものであり、ドア開閉装置により開閉駆動される。
【０００３】
現状のエレベータでは、リニューアルを行う前と、リニューアルを行った後とで、ドア開閉装置の取付高さが異なる場合、既設取付腕を取り外し、かご枠へ新規穴を加工して、新規取付腕を取り付けていた。
【０００４】
また、特許文献１には、リニューアルを行う前と、リニューアルを行った後とで、ドア開閉装置の取付高さが異なる場合に、新規ドア開閉装置のドアハンガーと既設ドアとの間に高さ調整用ブラケットを追加する方法が開示されている。
【先行技術文献】
【特許文献】
【０００５】
【特許文献１】特開２００４−３４５７８２号公報
【発明の概要】
【発明が解決しようとする課題】
【０００６】
現状の方法として、リニューアル前後でドア開閉装置の取付高さが異なる場合に、既設取付腕を取り外し、かご枠へ新規穴を加工して、新規取付腕を取り付ける方法によると、取付腕の取替作業およびかご枠への現地での穴あけ作業が必要であり、作業性に問題があった。また、特許文献１に開示の方法によっても、作業性の改善の余地がある。
【０００７】
本発明は、上記に鑑みてなされたものであり、リニューアル時に既設取付腕を用いることで作業性を良好にすることができる、エレベータドアのリニューアル方法を提供することを目的とする。
【課題を解決するための手段】
【０００８】
上述した目的を達成するため、本発明は、リニューアル前後でドア開閉装置の取付高さが異なる場合におけるエレベータドアのリニューアル方法であって、かご枠柱に固定されて既設ドア開閉装置を支持していた既設取付腕を残したまま、前記既設取付腕から前記既設ドア開閉装置を取り外す工程と、高さ調整用ブラケットの下部が前記既設取付腕に固定された、該高さ調整用ブラケットの上部に、新規ドア開閉装置が支持されている工程と、を備える。
【発明の効果】
【０００９】
本発明によれば、リニューアル時に既設取付腕を用いることで作業性を良好にすることができる。
【図面の簡単な説明】
【００１０】
【図１】本発明の実施の形態１を提供するリニューアル前のかごを示す正面図である。
【図２】図１のＩＩ線からみた、かごを示す側面図である。
【図３】リニューアル前のかご枠柱、既設取付腕およびドア開閉装置の接続状態を示す図である。
【図４】リニューアル後に関する、図３と同態様の図である。
【発明を実施するための形態】
【００１１】
以下、本発明の実施の形態について添付図面に基づいて説明する。なお、図中、同一符号は同一又は対応部分を示すものとする。
【００１２】
実施の形態１．
図１は、本発明の実施の形態１を提供するリニューアル前のかごを示す正面図であり、図２は、図１のＩＩ線からみた、かごを示す側面図である。
【００１３】
エレベータのかご１には、左右一対のかご枠柱２が固定されており、かご枠柱２には、左右一対の上梁３、かご床４、および、既設取付腕５が固定されている。ドア開閉装置６は、既設取付腕５に固定されている。ドア開閉装置６には、少なくとも一枚の（図示例では２枚の）ドア７が吊り下げ態様で支持されている。
【００１４】
次に、本実施の形態１のエレベータドアのリニューアル方法について説明する。図３は、リニューアル前のかご枠柱、既設取付腕およびドア開閉装置の接続状態を示す図である。図４は、リニューアル後に関する、図３と同態様の図である。図３および図４ともに、図の右側部分に、図２の向きからみた状態が示されており、図３および図４のそれぞれ左側部分に、図の右側の構成を矢印ＩＩＩおよびＩＶからみた状態が示されている。
【００１５】
まず、図３に示されるように、リニューアル前には、上下方向に延びるかご枠柱２の上部に、例えばボルト等の連結体２１を用いて、既設取付腕５が着脱可能に固定されている。既設取付腕５は、かご枠柱２に対して交差する向きに延びて固定される。
【００１６】
さらに、既設取付腕５の端部に、例えば一対のボルト等の連結体２３を用いて、既設ドア開閉装置６が着脱可能に固定されている。また、既設ドア開閉装置６には、当該既設ドア開閉装置６の倒れ防止のためのジャッキボルト２５が設けられている。
【００１７】
このような既設構成において、リニューアル前後でドア開閉装置の取付高さが異なる場合のリニューアルは次のようにして行われる。
【００１８】
端的に述べると、かご枠柱に固定されて既設ドア開閉装置を支持していた既設取付腕を残したまま、既設取付腕から既設ドア開閉装置を取り外す工程と、高さ調整用ブラケットの下部が既設取付腕に固定された、当該高さ調整用ブラケットの上部に、新規ドア開閉装置が支持されている工程とを備える。以下、上記工程をより詳細に説明する。
【００１９】
まず、図４に示されるように、既設取付腕５から既設ドア開閉装置６を取り外し、例えば一対のボルト等の連結体２３を用いて、高さ調整用ブラケット２７の第１部２７ａの下部を、既設取付腕５に固定する。
【００２０】
高さ調整用ブラケット２７の第１部２７ａは、既設取付腕５から上方に延びており、平面視、ほぼＬ字状に構成されている。
【００２１】
高さ調整用ブラケット２７の第１部２７ａの上部に、例えば一対のボルト等の連結体２９を用いて、高さ調整用ブラケット２７の第２部２７ｂおよび新規ドア開閉装置１０を固定する。
【００２２】
高さ調整用ブラケット２７の第２部２７ｂは、図４の左側部分の図示においてみて、ほぼＬ字状に構成されている。新規ドア開閉装置１０は、高さ調整用ブラケット２７の第２部２７ｂにおける第１部２７ａとの逆側に配置されている。換言すれば、高さ調整用ブラケット２７の第１部２７ａ、第２部２７ｂおよび新規ドア開閉装置１０がこの順で、三者一体となるように、連結体２９によって連結される。
【００２３】
さらに、新規ドア開閉装置１０には、既設ドア開閉装置６の場合と同様、当該新規ドア開閉装置１０の倒れ防止のためのジャッキボルト３１が設けられている。
【００２４】
以上説明した本実施の形態１によれば、リニューアル前後のドア開閉装置の取付高さが異なる場合、既設取付腕と新規ドア開閉装置との間に高さ調整用ブラケットを設けることによって、新規ドア開閉装置の取付位置を高さ方向にのみ移動させることが可能となる。これにより、既設取付腕を流用したリニューアルを行うことができ、且つ、既設取付腕へ、取付高さがリニューアル前と異なる新規ドア開閉装置を取り付けることができ、作業性の改善および他機種とのドア開閉装置の共有化を図ることができる。
【００２５】
また、新規ドア開閉装置の取付位置は、既設ドア開閉装置の取付位置に対して高さ方向の位置のみが変化している。具体的には、高さ調整用ブラケットにおける下部の連結体２３の取付位置と、上部の連結体２９の取付位置とは、高さ方向だけが異なっており、左右方向（ドア開閉方向）および前後方向（ドア開閉方向および高さ方向の両方向に直交する方向）は同じである。これに関し、例えば、本実施の形態１の場合と異なり、一対のボルトのピッチが、既設取付腕側と、新規ドア開閉装置側とで異なっているようなブラケットを用いた場合、新規ドア開閉装置側の取付金の形状をリニューアル専用品とする必要がある。これに対して、本実施の形態１のように、新規ドア開閉装置の取付位置は、既設ドア開閉装置の取付位置に対して高さ方向の位置のみが変化している態様であれば、新規ドア開閉装置の取付金を専用品とする必要がなく、他機種とのドア開閉装置の共有化は、極めて容易に促進される。
【００２６】
以上、好ましい実施の形態を参照して本発明の内容を具体的に説明したが、本発明の基本的技術思想及び教示に基づいて、当業者であれば、種々の改変態様を採り得ることは自明である。
【符号の説明】
【００２７】
１  かご、２  かご枠柱、５  既設取付腕、６  既設ドア開閉装置、１０  新規ドア開閉装置、２７  高さ調整用ブラケット。
【図１】
2016088627.tif 000003
【図２】
2016088627.tif 000004
【図３】
2016088627.tif 000005
【図４】
2016088627.tif 000006